(57)【要約】【課題】侵入者が建物の外枠付きサッシ戸から建物の室内に侵入することを防止することである。【解決手段】  多数の縦桟３を縦方向に並列し、この縦桟の２本の縦桟と縦桟とを交差してＸ形状にしてＸ形状の中央部を回転自在具４で連結するとともに隣接した縦桟と縦桟との上部と下部とをそれぞれ回転自在具４で連結して面格子５を形成し、この面格子を１方の室外側の案内溝１２に設け、この面格子の横方向の他端と、サッシ戸の取付外枠の一端とを、開閉自在の連結具８で閉鎖するとともにこの面格子の横方向の一端と、サッシ戸の枠の他端とを、連結止め具６で連結した外枠付きサッシ戸である。【選択図】図４
2019143457.tif 000002
【特許請求の範囲】
【請求項１】
サッシ戸の外枠を建物の開口壁に取付け、該サッシ戸外枠に、２本の下側案内溝と２本の上側案内溝を、水平方向に設け、該サッシ戸の外枠の１方の案内溝に、１方の室外側の引き違い枠付きサッシ戸を、設けるとともに他方の案内溝に、他方の室内側の引き違い枠付きサッシ戸を、設けた外枠付サッシ戸において、多数の縦桟を縦方向に並列し、該縦桟の２本の縦桟と縦桟とを交差してＸ形状にしてＸ形状の中央部を回転自在具で連結するとともに隣接した縦桟と縦桟との上部と下部とをそれぞれ回転自在具で連結して面格子を形成し、該面格子を１方の室外側の案内溝に設け、該面格子の横方向の他端と、サッシ戸の取付外枠の一端とを、開閉自在の連結具で閉鎖するとともに該面格子の横方向の一端と、サッシ戸の枠の他端とを、連結止め具で連結した外枠付きサッシ戸。
【請求項２】
サッシ戸の外枠を建物の開口壁に取付け、該サッシ戸外枠に、２本の下側案内溝と２本の上側案内溝を、水平方向に設け、該サッシ戸の外枠の１方の案内溝に、１方の室外側の引き違い枠付きサッシ戸を、設けるとともに他方の案内溝に、他方の室内側の引き違い枠付きサッシ戸を、設けた外枠付サッシ戸において、多数の縦桟を縦方向に並列し、該縦桟の２本の縦桟と縦桟とを交差してＸ形状にしてＸ形状の中央部を回転自在具で連結するとともに隣接した縦桟と縦桟との上部と下部とをそれぞれ回転自在具で連結して面格子を形成し、該面格子を１方の室外側の案内溝に設け、該面格子の左右方向の一端と、サッシ戸の取付外枠の一端とを、開閉自在の連結具で閉鎖するととに該面格子の横方向の他端と、室外側サッシ戸の枠の左右方向の他端とを、連結止め具で連結した外枠付きサッシ戸。
【請求項３】
サッシ戸の外枠を建物の開口壁に取付け、該サッシ戸外枠に、２本の下側案内溝と２本の上側案内溝を、水平方向に設け、該サッシ戸の外枠の１方の案内溝に、１方の室外側の引き違い枠付きサッシ戸を、設けるとともに他方の案内溝に、他方の室内側の引き違い枠付きサッシ戸を、設けた外枠付サッシ戸において、多数の縦桟を縦方向に並列し、該縦桟の２本の縦桟と縦桟とを交差してＸ形状にしてＸ形状の中央部を回転自在具で連結するとともに隣接した縦桟と縦桟との上部と下部とをそれぞれ回転自在具で連結して面格子を形成し、該面格子を１方の室内側の案内溝に設け、該面格子の横方向の他端と、サッシ戸の取付外枠の他端とを、開閉自在の連結具で閉鎖するととに該面格子の横方向の他端と、室内側サッシ戸の枠の他端とを、連結止め具で連結した外枠付きサッシ戸。
【請求項４】
サッシ戸の外枠を建物の開口壁に取付け、該サッシ戸外枠に、２本の下側案内溝と２本の上側案内溝を、水平方向に設け、該サッシ戸の外枠の１方の案内溝に、１方の室外側の引き違い枠付きサッシ戸を、設けるとともに他方の案内溝に、他方の室内側の引き違い枠付きサッシ戸を、設けた外枠付サッシ戸において、多数の縦桟を縦方向に並列し、該縦桟の２本の縦桟と縦桟とを交差してＸ形状にしてＸ形状の中央部を回転自在具で連結するとともに隣接した縦桟と縦桟との上部と下部とをそれぞれ回転自在具で連結して面格子を形成し、該面格子を１方の室内側の案内溝に設け、該面格子の横方向の一端と、サッシ戸の取付外枠の一端とを、開閉自在の連結具で閉鎖するととに該面格子の横方向の他端と室内側サッシ戸の枠の左右方向の他端とを、連結止め具で連結した外枠付きサッシ戸。
【発明の詳細な説明】
【技術分野】
【０００１】  この発明は、外枠付きサッシ戸の外枠の内側に面格子を設けた外枠付きサッシ戸に係わるものである。
【背景技術】
【０００２】    従来より外枠付きサッシ戸は、サッシ戸の外枠に、室内側と室外側との２本のサッシ戸案内溝を、設け、このサッシ戸の外枠の２本のサッシ戸案内溝に、２枚の引き違いサッシ戸を設置した外枠付きサッシ戸が一般に使用されている。
【発明の概要】
【発明が解決しようとする課題】
【０００３】  この従来の外枠付きサッシ戸は、サッシ戸の外枠の２本のサッシ戸案内溝に、２枚の引き違いサッシ戸を設置したサッシ戸を設けたものであるために、
外出して帰宅した時や暑い夏などや夜間などに室外の新鮮な空気を室内に取り入れたい時は、サッシ戸を全開したり、１部分開けたり、又はサッシ戸を閉鎖具で閉鎖するのを忘れたりすると、侵入者が開けるこどできる箇所から室内に侵入することができるという防犯上などの問題点があった。
特に女性、子供、老人などが１人で室内にいる夜間や昼間にはサッシ戸がある家に安心して住むことができないという問題点があった。
更に、事務所、工場、農作業小屋、温室などの建物の中に安心していることができないという問題点があった。【０００４】  この発明は、従来の外枠付きサッシ戸が有するこれらの問題点を解消することであり、侵入者が外枠付きサッシ戸から建物の室内に侵入することを防止することである。
そして、外枠付きサッシ戸を取付けた家、事務所、工場、農作業小屋、温室などの建物の中で住人、仕事をする人達が建物内に安心して居られることである。
【課題を解決するための手段】
【０００５】    多数の縦桟を横方向に並列し、該縦桟の２本の縦桟と縦桟とを交差してＸ形状にしてＸ形状の中央部を回転自在具で連結するとともに隣接した縦桟と縦桟との上部と下部とをそれぞれ回転自在具で連結して面格子を形成し、この面格子９を，室外側サッシ戸の縦方向である外枠の溝３に、設置するとともにこの面格子の伸縮方向の一端と、室外側サッシ戸の縦方向である外枠とを、開閉自在の閉鎖具１０で閉鎖するとともにこの面格子の伸縮方向の他端と、前記サッシ戸５の縦方向である枠５´とを、固定したものである。
【発明の効果】
【０００６】  この発明の外枠付きサッシ戸は戸は、多数の縦桟を横方向に並列し、この縦桟の２本の縦桟と縦桟とを交差してＸ形状にしてＸ形状の中央部を回転自在具で連結するとともに隣接した縦桟と縦桟との上部と下部とをそれぞれ回転自在具で連結して面格子を形成し、この面格子９を，室外側サッシ戸の縦方向である外枠の溝３に、設置するとともにこの面格子の伸縮方向の一端と、室外側サッシ戸の縦方向である外枠とを、開閉自在の閉鎖具１０で閉鎖するとともにこの面格子の伸縮方向の他端と、前記サッシ戸５の縦方向である枠５´とを、固定したから、外出して帰宅した時や暑い夏などや夜間などに室外の新鮮な空気を室内に取り入れたい時は、室内側サッシ戸を全開又は少々開けておいても、面格子を設けるとともに錠前などの閉鎖具でこの面格子を閉鎖してあるために、家や他の建物に外部から侵入者が室内に侵入するすることができないという防犯上の効果がある。
更に、このように侵入者が室内に侵入することができないために、女性や子供が１人で室内にいる夜間や昼間にはサッシ戸がある家に安心して住むことができるとともに事務所、工場、農作業小屋、温室などの建物で安心して仕事などを行うことができるという効果がある。【０００７】  請求項２の外枠付きサッシ戸は、多数の縦桟１５を横方向に並列し、該縦桟の２本の縦桟１５と縦桟１５とを交差してＸ形状にしてＸ形状の中央部を回転自在具１６で連結するとともに隣接した縦桟１５と縦桟１５との上部と下部とをそれぞれ回転自在具１６で連結して面格子１７を形成し、この面格子１７の左右方向の他端（図面上の右端）と、前記室外側サッシ戸１４のの枠１４１の一端（図面上の左端）とを、開閉自在の連結ロック金具１９で閉鎖するとともにこの面格子の伸縮方向の一端（図面上の左端）と、前記室外側サッシ戸枠１４の他端（図面上の右端）とを、連結止めロック金具１８で連結したから、外出して帰宅した時や暑い夏などや夜間などに室外の新鮮な空気を室内に取り入れたい時は、室内側サッシ戸を全開又は少々開けておいても、面格子を設けるとともに錠前などの閉鎖具でこの面格子を閉鎖してあるために、家や他の建物に外部から侵入者が室内に侵入するすることができないという防犯上の効果がある。
更に、このように侵入者が室内に侵入することができないために、女性や子供が１人で室内にいる夜間や昼間にはサッシ戸がある家に安心して住むことができるとともに事務所、工場、農作業小屋、温室などの建物で安心して仕事などをすることができるという効果がある。【０００８】  請求項３の外枠付きサッシ戸は、多数の縦桟２５を縦方向に並列し、該縦桟の２本の縦桟２５と縦桟２５とを交差してＸ形状にしてＸ形状の中央部を回転自在具２６で連結するとともに隣接した縦桟２５と縦桟２５との上部と下部とをそれぞれ回転自在具２６で連結して面格子２７を形成し、この面格子の左右方向の一端（図面上の左端）と、前記室内側サッシ戸２４の枠２４１の左右方向の他端（図面上の右端）とを、連結止め金具２８で固定するとともにこの面格子の左右方向の他端（図面上の右端）と、サッシ戸枠１の左右方向の一端（図面上の左端）とを、開閉自在の連結ロック金具２９で閉鎖したから、外出して帰宅した時や暑い夏などや夜間などに室外の新鮮な空気を室内に取り入れたい時は、室内側サッシ戸を全開又は少々開けておいても、面格子を設けるとともに錠前などの閉鎖具でこの面格子を閉鎖してあるために、家や他の建物に外部から侵入者が室内に侵入するすることができないという防犯上の効果がある。
更に、このように侵入者が室内に侵入することができないために、女性や子供が１人で室内にいる夜間や昼間にはサッシ戸がある家に安心して住むことができるとともに事務所、工場、農作業小屋、温室などの建物で安心して仕事などをするとができるという効果がある。【０００９】  請求項４の外枠付きサッシ戸は、この面格子３７の左右方向の他端（図面上の右端）と、前記室内側サッシ戸３４のの枠３４１の一端（図面上の左端）とを、開閉自在の連結ロック金具３９で閉鎖するとともにこの面格子の伸縮方向の一端（図面上の左端）と、前記室内側サッシ戸枠１の他端（図面上の右端）とを、連結止めック金具３８で連結したから、外出して帰宅した時や暑い夏などや夜間などに室外の新鮮な空気を室内に取り入れた  い時は、室内側サッシ戸を全開又は少々開けておいても、面格子を設けるとともに錠前どの閉鎖具でこの面格子を閉鎖してあるために、家や他の建物に外部から侵入者が室内に侵入するすることができないという防犯上の効果がある。
更に、このように侵入者が室内に侵入することができないために、女性や子供が１人で室内にいる夜間や昼間にはサッシ戸がある家に安心して住むことができるとともに事務所、工場、農作業小屋、温室などの建物で安心して仕事などをすることができるという効果がある。
【図面の簡単な説明】
【００１０】
【図１】  本発明品の正面図である。
【図２】  同じく取付外枠の拡大端面図である。
【図３】  同じく面格子の拡大正面図である。
【図４】  同じく室内側サッシ戸を開けた正面図である。
【図５】  同じく開閉自在の閉鎖具の組付前の拡大正面図である。
【図６】  同じく面格子を開けた時の正面図である。
【図７】  第２本発明品の正面図である。
【図８】  同じく開閉自在の閉鎖具の組付前の拡大正面図である。
【図９】  第３本発明品の正面図である。
【図１０】  同じく開閉自在の閉鎖具の組付前の拡大正面図である。
【図１１】  第４本発明品の正面図である。
【図１２】  同じく開閉自在の閉鎖具の組付前の拡大正面図である。
【発明を実施するための形態】
【００１１】  多数の縦桟を横方向に並列し、該縦桟の２本の縦桟と縦桟とを交差してＸ形状にしてＸ形状の中央部を回転自在具で連結するとともに隣接した縦桟と縦桟との上部と下部とをそれぞれ回転自在具で連結して面格子を形成し、この面格子９を，室外側サッシ戸の縦方向である外枠の溝３に、設置するとともにこの面格子の伸縮方向の一端と、室外側サッシ戸の縦方向である外枠とを、開閉自在の閉鎖具１０で閉鎖するとともにこの面格子の伸縮方向の他端と、前記サッシ戸５の縦方向である枠５´とを、固定したものである。
【実施例１】
【００１２】  この取付外枠付きサッシ戸は、図１図２に図示のように、サッシ戸の取付外枠１に、室内側サッシ戸案内溝１１と室外側サッシ戸案内溝１２との２本のサッシ戸案内溝を、設け、このサッシ戸の外枠の２本のサッシ戸案内溝に、ガラス戸の枠２３を有する室内側サッシ戸２１とガラス戸の枠２３を有する室外側サッシ戸２２との２枚の引き違いサッシ戸を設ける。
面格子は、図３に図示のように、２本の縦桟３と縦桟３をＸ形状にしてその中央部を回転自在具４で連結するとともにＸ形状にした多数の縦桟を横方向に並列し、この縦桟の隣接した縦桟と縦桟との上部と下部とをそれぞれ回転自在具４で連結した面格子５を形成する。
室内側サッシ戸２１を取付ける前に、この面格子を、室外側サッシ戸の水平方向である取付外枠１の案内溝１２に、設置するとともにこの面格子の一端（図面の左端）と、サッシ戸の枠とを、連結具６で連結する。（図４図示）
この面格子の伸縮方向の他端（図面の右端）と、右端の取付外枠１とを、開閉自在の連結具８で連結した外枠付きサッシ戸９である（図４に図示）。
この開閉自在の連結具は、図５に組付け前の拡大図として図示のように、面格子５の右上部に、面格子の回転自在具４を挿入する縦長の挿入穴７１を有する
係止板７を取付け、この係止板にチェーン７３を取付け、チェーンの先端にやや小さい穴の円形リング７４を取付ける。
この円形リング付きチェーンを、取付外枠１に固定した係止板１３のやや大きい穴１４に貫通させ、この円形リングの穴７４に、錠前１０の係止部１０１を貫通させた後に、この円形リング７４のやや小さい穴７５に錠前１０の逆Ｕ字形の係止部１０２を入れて施錠・することにより開閉自在の閉鎖具で閉鎖する。
開ける時は、鍵で錠前を開けて、チェーン７３などを取外して面格子を開ける。【００１３】  この実施例１の取付外枠付きサッシ戸は、図１に図示のように、室内側サッシ戸と室外側サッシ戸とを所定の位置に閉めておき、屋外から新鮮な空気を取入れたい時は、図１から図４に図４に図示のとおりに、室内側サッシ戸を右側から左側に移動して開ける。
この時には面格子は閉鎖具のチェーンと錠前などにより閉じられているために外側及び内側から開けることはできないので、他人が室内に侵入できないために防犯具などの役目を果たすとともに子供や幼児が室外に出られないために安心・安全に住める。
室内火災、地震などの非常時などの時は、錠前を鍵で開け、チェーンを係止円形リングなどから取外した後に、面格子を図６図示のように開けて住人などは室外にて避難する。
なお、この実施例１のサッシ戸の取付外枠付きサッシ戸では、開閉自在の閉鎖具を右上端部に設けた構成にしたが、開閉自在の閉鎖具を右下端部に設けても良く、閉鎖が上端と下端の２か所に設けると、面格子に強風などが当たても、異音の発生を防止して安定した状態で、かつ強固に良い状態で閉鎖する。
この時は、錠前は２か所ではなく、１か所は上に吊下げフックを付けた重りの金属を円形リングにフックで吊下げると、非常時などに面格子を早く開け易くなる。
【実施例２】
【００１４】
2019143457.tif 000003
室外側サッシ戸案内溝１１２の左側に面格子１５を設置し、この面格子の右端と室外側サッシ戸の外枠１１１とを連結具１６で連結する。
面格子の図面の左端と、室外側サッシ戸の外枠１１２とを、開閉自在の連結具１７で連結した外枠付きサッシ戸１８である。
この開閉自在の連結具は、面格子の他端に、連結穴１６３を有する連結板１６２を取付け、左端の外枠１１１に、連結穴１１３を有する連結板１１２を取付けて、この１方の連結板の穴と他方の連結板の穴とに、実施例１と同様に錠前２０の逆Ｕ字形の係止部２０１を入れた連結した連結具である（組付け前の図８図示）。【００１５】  この実施例２の外枠付きサッシ戸の面格子を使用する時は、取付け作業が容易になるように取付けてなかった室内側サッシ戸を取付けて使用する。
侵入者は面格子があるために室内に侵入できず、室内に居る人は安心して居られるとともに屋外から新鮮な空気を取入れられるし、非常時には、開閉自在の連結具の連結を外して面格子を開けて室内に居る人は室外に脱出・避難する。
面格子が存在している箇所を閉める時は、室内側サッシ戸を右側から左側に移動して閉める。
【実施例３】
【００１６】  この外枠付きサッシ戸は、図９図１０に図示のように、室内側のサッシ戸２２１を右側から左側に移動する。
室内側のサッシ戸の右側の案内溝２１１に面格子２５を設け、この面格子の左端と室内側サッシ戸の枠の右端２２３とを連結具２６で連結するとともに面格子の右端と、室内側サッシ戸の外枠２１２とを、開閉自在の連結具２７で連結した外枠付きサッシ戸２８である。
この開閉自在の連結具は、面格子の他端に連結穴２９１を有する連結具２９を取付けとともに右端の外枠２１には連結穴２１２を有する連結具２１１を取付け、チエーン２９２の両端には小さい穴を有するリング２１３、２１３をそれぞれ設ける。
１方のリングを連結穴２１２に入れるとともに他方のリングを連結穴２９１に入れた後に、連結穴と２１２とリングを連結穴２９２とに、錠前３０の逆Ｕ字形の係止部３０１を入れた連結した連結具である。【００１７】  実施例３の外枠付きサッシ戸は、室内側で右側に面格子だけがあるので、屋外から新鮮な空気を取入れられるとともに面格子の両端が連結されているので、侵入者が室内に侵入できず、入室者は安心して室内に居られる。
そして、非常時には、開閉自在の連結具の施錠を解除して面格子を左側に開けて、入室者は室外に避難・脱出する。
夜間などで室内側のサッシ戸を閉める時は、面格子を開けた後に、室外側のサッシ戸を左側から右側に移動して閉める。
【実施例４】
【００１８】  この外枠付きサッシ戸は、図１１図１２に図示のように、室外側のサッシ戸を左側から右側に移動する。
室内側サッシ戸案内溝３２１の左側に面格子３５を設置し、この面格子３５の右端と、室内側サッシ戸の枠３２３とを、連結具３６で連結する。
面格子の左端と、室内側サッシ戸の外枠３１とを、開閉自在の連結具３７で連結した外枠付きサッシ戸３８である。
この開閉自在の連結具は、面格子３５の右端に、連結穴３６３を有する連結板３６２を取付け、外枠３１に連結穴３１２を有する連結板３１１を取付ける。
この連結板の連結穴３６３と外枠３１に連結穴３１２との両方の穴に、錠前４０の係止部４０１を挿入して連結・閉鎖する。【００１９】  実施例４の外枠付きサッシ戸を使用すする時は、面格子は室内側で左側にあるとともに室内側のサッシ戸と室外側のサッシ戸とが右側にあるので、屋外から新鮮な空気を取入れられるとともに面格子の両端が連結されているので、侵入者は室内に侵入できず、入室者は安心して室内に居られる。
そして、非常時には、開閉自在の連結具の施錠を解除して面格子を左側に開けて、入室者は室外に避難・脱出する。
夜間などで室内側のサッシ戸を閉める時は、面格子を開けた後に、室外側のサッシ戸を右側から左側に移動して閉める。
【符号の説明】
【００２０】    １    サッシ戸の取付外枠
１１  室内側サッシ戸案内溝
１２  室外側サッシ戸案内溝
２１  室内側サッシ戸
２２  室外側サッシ戸
２３  ガラス戸の枠
３    縦桟
４    回転自在具
５    面格子
６    連結具
７    係止具
８    開閉自在の連結具
９    外枠付きサッシ戸
１０  錠前
【図１】
2019143457.tif 000004
【図２】
2019143457.tif 000005
【図３】
2019143457.tif 000006
【図４】
2019143457.tif 000007
【図５】
2019143457.tif 000008
【図６】
2019143457.tif 000009
【図７】
2019143457.tif 000010
【図８】
2019143457.tif 000011
【図９】
2019143457.tif 000012
【図１０】
2019143457.tif 000013
【図１１】
2019143457.tif 000014
【図１２】
2019143457.tif 000015